(57)【要約】  【課題】  発電効率の向上した燃料電池装置を提供する。  【解決手段】  酸素含有ガスと燃料とで発電を行なう燃料電池と、燃料電池より排出される排ガスを浄化するための浄化装置１８と、浄化装置１８より排出される浄化済み排ガスと燃料電池に供給する酸素含有ガスまたは燃料を熱交換するための第１の熱交換器１９と、第１の熱交換器１９にて熱交換された酸素含有ガスまたは燃料をさらに加熱するための加熱装置２０とを備えることにより、発電効率の向上した燃料電池装置とすることができる。【選択図】  図１
2014010895.tif 000002
【特許請求の範囲】
【請求項１】
酸素含有ガスと燃料とで発電を行なう燃料電池と、該燃料電池より排出される排ガスを浄化するための浄化装置と、該浄化装置より排出される浄化済み排ガスと前記燃料電池に供給する酸素含有ガスまたは燃料を熱交換するための第１の熱交換器と、該第１の熱交換器にて熱交換された酸素含有ガスまたは燃料をさらに加熱するための加熱装置とを備えることを特徴とする燃料電池装置。
【請求項２】
前記加熱装置と前記燃料電池との間に、前記加熱装置を流れた前記酸素含有ガスまたは燃料の温度を測定するための第１の温度センサを備えることを特徴とする請求項１に記載の燃料電池装置。
【請求項３】
前記第１の熱交換器に向けて前記酸素含有ガスまたは燃料を供給するための第１熱交換器供給ラインと、前記第１の熱交換器にて熱交換された前記酸素含有ガスまたは燃料を前記加熱装置に向けて供給するための加熱装置供給ラインとを備えるとともに、前記第１熱交換器供給ラインと前記加熱装置供給ラインとをつなぐバイパスラインを備え、前記バイパスラインは、前記第１熱交換器供給ラインとの接続部に三方弁を備えていることを特徴とする請求項１または請求項２に記載の燃料電池装置。
【請求項４】
前記燃料電池に供給する燃料を水蒸気改質にて生成するための改質器と、前記浄化済み排ガスと水とで熱交換してお湯を生成するための第２の熱交換器と、該第２の熱交換器で生成されたお湯を貯湯するための貯湯タンクとを有するとともに、前記第２の熱交換器にて生成された凝縮水を前記改質器に供給することを特徴とする請求項１乃至請求項３のうちいずれかに記載の燃料電池装置。
【請求項５】
前記浄化装置より排出される浄化済み排ガスの温度を測定するための第２の温度センサを備えることを特徴とする請求項４に記載の燃料電池装置。
【請求項６】
前記第１の温度センサにより測定された温度が所定の温度以下の場合に前記加熱装置を作動させるとともに、前記第１の温度センサにより測定された温度が所定の温度以上の場合に、前記加熱装置を停止する制御を行なう制御装置を備えることを特徴とする請求項２に記載の燃料電池装置。
【請求項７】
前記第２の温度センサにより測定された温度が所定の温度以下の場合に、前記第１熱交換器供給ラインを流れる酸素含有ガスまたは燃料を、前記バイパスラインを介して前記加熱装置供給ラインに流すように前記三方弁を制御する制御装置を備えることを特徴とする請求項５に記載の燃料電池装置。
【請求項８】
前記浄化済み排ガスと水とで熱交換してお湯を生成するための第２の熱交換器と、該第２の熱交換器で生成されたお湯を貯湯するための貯湯タンクと、前記貯湯タンクの温度を測定するための貯湯タンク温度センサを備えるとともに、該貯湯タンク温度センサにより測定された前記貯湯タンク中のお湯の温度が所定の温度以下の場合に、前記第１熱交換器供給ラインを流れる酸素含有ガスまたは燃料を、前記バイパスラインを介して前記加熱装置供給ラインに流すように前記三方弁を制御する制御装置を備えることを特徴とする請求項３に記載の燃料電池装置。
【発明の詳細な説明】
【技術分野】
【０００１】
本発明は、発電効率の向上した燃料電池装置に関する。
【背景技術】
【０００２】
近年、次世代エネルギーとして、燃料ガス（水素含有ガス）と酸素含有ガス（空気）とを用いて電力を得ることができる燃料電池セルを収納容器内に収納してなる燃料電池モジュールや、燃料電池モジュールを外装ケース内に収納してなる燃料電池装置が種々提案されている（例えば、特許文献１参照。）。
【０００３】
このような燃料電池装置においては、燃料電池の発電に使用されなかった排ガスを燃焼させて、この燃焼熱により燃料電池に供給する酸素含有ガスの温度を上昇させて、温度の高い酸素含有ガスを燃料電池に供給することが提案されている（例えば、特許文献２参照）。
【先行技術文献】
【特許文献】
【０００４】
【特許文献１】特開２００７−５９３７７号公報
【特許文献２】特開２００５−１６６４３９号公報
【発明の概要】
【発明が解決しようとする課題】
【０００５】
ところで次世代エネルギーとして期待される燃料電池においては、省エネルギーの観点から、更なる発電効率の向上が求められている。
【０００６】
それゆえ、本発明は、発電効率の向上した燃料電池装置を提供することを目的とする。
【課題を解決するための手段】
【０００７】
本発明の燃料電池装置は、酸素含有ガスと燃料とで発電を行なう燃料電池と該燃料電池より排出される排ガスを浄化するための浄化装置と、該浄化装置より排出される浄化済み排ガスと前記燃料電池に供給する酸素含有ガスまたは燃料を熱交換するための第１の熱交換器と、該第１の熱交換器にて熱交換された酸素含有ガスまたは燃料をさらに加熱するための加熱装置とを備えることを特徴とする。
【発明の効果】
【０００８】
本発明の燃料電池装置は、燃料電池より排出される排ガスを浄化する浄化装置より排出される浄化済み排ガスと、燃料電池に供給する酸素含有ガスまたは燃料を熱交換する第１の熱交換器を備えるとともに、第１の熱交換器にて熱交換された酸素含有ガスまたは燃料をさらに加熱するための加熱装置を備えることから、燃料電池に対し温度の高い酸素含有ガスまたは燃料を供給することができることから、発電効率の向上した燃料電池装置とすることができる。
【図面の簡単な説明】
【０００９】
【図１】本実施形態の燃料電池装置を備える燃料電池システムの構成の一例を示す構成図である。
【図２】本実施形態の燃料電池装置の一例の一部を構成する燃料電池モジュールを示す外観斜視図である。
【図３】図２に示す燃料電池モジュールの断面図である。
【図４】本実施形態の燃料電池装置における燃料電池モジュールに、第１の熱交換器と第２の熱交換器とが順に接続されていること示す概念図である。
【図５】本実施形態の燃料電池装置を備える燃料電池システムの構成の他の一例を示す構成図である。
【図６】本実施形態の燃料電池装置を備える燃料電池システムの構成のさらに他の一例を示す構成図である。
【図７】本実施形態の燃料電池装置を備える燃料電池システムの構成のさらに他の一例を示す構成図である。
【発明を実施するための形態】
【００１０】
図１は、本実施形態の燃料電池装置を備える燃料電池システムの構成の一例を示す構成図である。図１に示す燃料電池システムは、本実施形態の燃料電池装置の一例である発電ユニットと、熱交換後の湯水を貯湯する貯湯ユニットと、これらのユニット間を水が循環するための循環配管とから構成されている。
【００１１】
図１に示す発電ユニットは、燃料極層、固体電解質層、空気極層を有する固体酸化物形の燃料電池セルを複数個組み合わせてなるセルスタック５、都市ガス等の原燃料を供給する燃料供給手段１、セルスタック５を構成する燃料電池セルに酸素含有ガスを供給するための酸素含有ガス供給手段２、酸素含有ガス供給手段２より供給される酸素含有ガスを加熱するための加熱装置２０、原燃料と水蒸気により原燃料を水蒸気改質する改質器３、セルスタックから排出される発電に使用されなかった排ガスを浄化するための浄化装置１８を備えている。なお、図１に示す発電ユニットでは、セルスタック５と改質器３とを収納容器に収納することで燃料電池モジュール４（以下、モジュールという場合がある。）が構成され、図１においては、二点鎖線により囲って示している。なお、図には示していないが、モジュール４内には、発電で使用されなかった燃料ガスを燃焼させるための着火装置が設けられている。また、図１に示す燃料電池システムでは浄化装置１８をモジュール４の外部に設けた例を示しているが、モジュール４内に設けることもできる。また、酸素含有ガス供給手段２により供給される酸素含有ガスの供給ラインである酸素含有ガス供給ラインを破線で示している。
【００１２】
また、図１に示す発電ユニットにおいては、セルスタック５を構成する燃料電池セルの発電により生じた排ガス（排熱）と水とで熱交換を行なう第２の熱交換器である熱交換器８に水を循環させる循環配管１５、熱交換器８で生成された凝縮水を純水に処理するための凝縮水処理装置９、凝縮水処理装置９にて処理された水（純水）を貯水するための水タンク１１とが設けられており、水タンク１１と熱交換器８との間が凝縮水供給管１０により接続されている。なお、熱交換器８での熱交換により生成される凝縮水の水質によっては、凝縮水処理装置９を設けない構成とすることもできる。また、凝縮水処理装置９が水を貯水する機能を有する場合には、水タンク１１を設けない構成とすることもできる。
【００１３】
水タンク１１に貯水された水は、水タンク１１と改質器３とを接続する水供給管１３に備えられた水ポンプ１２により改質器３に供給される。
【００１４】
さらに図１に示す発電ユニットは、モジュール４にて発電された直流電力を交流電力に変換し、変換された電気の外部負荷への供給量を調整するための供給電力調整部（パワーコンディショナ）６、熱交換器８の出口に設けられ熱交換器８の出口を流れる水（循環水流）の水温を測定するための出口水温センサ１４のほか、各種機器の動作を制御する制御装置７が設けられており、循環配管１５内で水を循環させる循環ポンプ１７とあわせて発電ユニットが構成されている。そして、これら発電ユニットを構成する各装置を、後述する外装ケース内に収納することで、設置や持ち運び等が容易な燃料電池とすることができる。なお、貯湯ユニットは、熱交換後の湯水を貯湯するための貯湯タンク１６を具備して
構成されている。
【００１５】
ここで、図１に示した燃料電池システムの通常状態の運転方法について説明する。
【００１６】
セルスタック５の発電に必要な燃料ガスを生成するにあたり、制御装置７は原燃料供給手段１、水ポンプ１２を作動させる。それにより、改質器３に原燃料（天然ガス、灯油等）と水とが供給され、改質器３で水蒸気改質を行なうことにより、水素を含む燃料ガスが生成されて燃料電池セルの燃料極側に供給される。
【００１７】
一方、制御装置７は酸素含有ガス供給手段２を動作させることにより、燃料電池セルの空気極側に酸素含有ガス（空気）を供給する。なお、酸素含有ガスの供給に関しては後述する。
【００１８】
なお、制御装置７はモジュール４において着火装置（図示せず）を作動させることにより、セルスタック５の発電に使用されなかった燃料ガスを燃焼させる。それにより、モジュール内の温度（セルスタック５や改質器３の温度）が上昇し、効率よい発電を行なうことができる。
【００１９】
セルスタック５の発電に伴って生じた排ガスには、未燃焼の燃料ガスや一酸化炭素が含まれる場合があるため、これらの排ガスを浄化装置１８にて浄化する。なお、浄化装置１８としては、例えば容器内に燃焼触媒を備えた構成とすることができる。
【００２０】
そして、浄化装置１８で浄化された排ガスは、後述する第１の熱交換器１９を介して熱交換器８に供給され、循環配管１５を流れる水とで熱交換される。熱交換器８での熱交換により生じたお湯は、循環配管１５を流れて貯湯タンク１６に貯水される。一方、熱交換器８での熱交換によりセルスタック５より排出される排ガスに含まれる水が凝縮水となり、凝縮水供給管１０を通じて、凝縮水処理装置９に供給される。凝縮水は、凝縮水処理装置９にて純水とされて、水タンク１１に供給される。水タンク１１に貯水された水は、水ポンプ１２により水供給管１３を介して改質器３に供給される。このように、凝縮水を有効利用することにより、水自立運転を行なうことができる。
【００２１】
続いて、本実施形態のモジュール４について説明する。図２、図３は、本実施形態の燃料電池装置を構成するモジュール４の一例を示し、図２はモジュール４を示す外観斜視図であり、図３は図２に示すモジュール４の断面図である。
【００２２】
図２に示すモジュール４においては、収納容器２２の内部に、内部を燃料ガスが流通するガス流路（図示せず）を有する柱状の燃料電池セル２３を立設させた状態で一列に配列し、隣接する燃料電池セル２３間が集電部材（図示せず）を介して電気的に直列に接続されているとともに、燃料電池セル２３の下端をガラスシール材等の絶縁性接合材（図示せず）でガスタンク２４に固定してなるセルスタック５を２つ備えるセルスタック装置２１を収納して構成されている。なお、セルスタック５の両端部には、セルスタック５（燃料電池セル２３）の発電により生じた電気を集電して外部に引き出すための、電気引き出し部を有する導電部材が配置されている（図示せず）。上述の各部材を備えることで、セルスタック装置２１が構成される。なお、図２においては、セルスタック装置２１が２つのセルスタック５を備えている場合を示しているが、適宜その個数は変更することができ、例えばセルスタック５を１つだけ備えていてもよい。また、収納容器２２には、後述する燃料電池セル２３を通過した燃料ガスを燃焼させるための着火装置３０、モジュール４の温度を測定するための熱電対３１が設けられている。
【００２３】
また、図２においては、燃料電池セル２３として、内部を燃料ガスが長手方向に流通す
るガス流路を有する中空平板型で、ガス流路を有する支持体の表面に、燃料極層、固体電解質層および酸素極層を順に積層してなる固体酸化物形の燃料電池セル２３を例示している。なお、燃料電池セル２３においては、内部を酸素含有ガスが長手方向に流通するガス流路を有する形状とすることもでき、この場合、内側より酸素極層、固体電解質層、燃料極層を順に設け、モジュール４の構成は適宜変更すればよい。さらには、燃料電池セルは中空平板型に限られるものではなく、例えば平板型や円筒型とすることもでき、あわせて収納容器２２の形状を適宜変更することが好ましい。
【００２４】
また、図２に示すモジュール４においては、燃料電池セル２３の発電で使用する燃料ガスを得るために、原燃料供給管２８を介して供給される都市ガス等の原燃料を改質して燃料ガスを生成するための改質器３をセルスタック５の上方に配置している。なお、原燃料供給管２８は、図１に示す燃料供給手段１にあわせて、適宜配置することができる。また、改質器３は、効率のよい改質反応である水蒸気改質を行なうことができる構造とすることができ、水を気化させるための気化部２６と、原燃料を燃料ガスに改質するための改質触媒（図示せず）が配置された改質部２５とを備えている。なお、改質器３においては、水蒸気改質のほか部分酸化改質を行なってもよく、改質触媒としては、水蒸気改質のほか、部分酸化改質も可能な燃焼触媒を用いることができる。そして、改質器３で生成された燃料ガス（水素含有ガス）は、燃料ガス流通管２７を介してガスタンク２４に供給され、ガスタンク２４より燃料電池セル２３の内部に設けられたガス流路に供給される。なお、セルスタック装置２１の構成は、燃料電池セル２３の種類や形状により、適宜変更することができ、例えばセルスタック装置２１に改質器３を含むこともできる。
【００２５】
また図２においては、収納容器２２の一部（前後面）を取り外し、内部に収納されるセルスタック装置２１を後方に取り出した状態を示している。ここで、図２に示したモジュール４においては、セルスタック装置２１を、収納容器２２内にスライドして収納することが可能である。
【００２６】
なお、収納容器２２の内部には、ガスタンク２４に並置されたセルスタック５の間に配置され、酸素含有ガスが燃料電池セル２３の側方を下端部から上端部に向けて流れるように、反応ガス導入部材２９が配置されている。
【００２７】
図３に示すように、モジュール４を構成する収納容器２２は、内壁３３と外壁３４とを有する二重構造で、外壁３４により収納容器２２の外枠が形成されるとともに、内壁３３によりセルスタック装置２１を収納する発電室３５が形成されている。さらに収納容器２２においては、内壁３３と外壁３４との間を、燃料電池セル２３に導入する酸素含有ガスが流通する反応ガス流路４０としている。
【００２８】
ここで、収納容器２２内には、収納容器２２の上部より、上端側に酸素含有ガスが流入するための酸素含有ガス流入口（図示せず）とフランジ部３７とを備え、下端部に燃料電池セル２３の下端部に酸素含有ガスを導入するための反応ガス流出口３６が設けられてなる反応ガス導入部材２９が、内壁３３を貫通して挿入されて固定されている。なお、フランジ部３７と内壁３３との間には断熱部材３７が配置されている。
【００２９】
なお、図３においては、反応ガス導入部材２９が、収納容器２２の内部に並置された２つのセルスタック５間に位置するように配置されているが、セルスタック５の数により、適宜配置することができる。例えば、収納容器２２内にセルスタック５を１つだけ収納する場合には、反応ガス導入部材２９を２つ設け、セルスタック５を両側面側から挟み込むように配置することができる。
【００３０】
また発電室３５内には、モジュール４内の熱が極端に放散され、燃料電池セル２３（セ
ルスタック５）の温度が低下して発電量が低減しないよう、モジュール４内の温度を高温に維持するための断熱部材３７が適宜設けられている。
【００３１】
断熱部材３７は、セルスタック５の近傍に配置することが好ましく、特には、燃料電池セル２３の配列方向に沿ってセルスタック５の側面側に配置するとともに、セルスタック５の側面における燃料電池セル２３の配列方向に沿った幅と同等またはそれ以上の幅を有する断熱部材３７を配置することが好ましい。なお、セルスタック５の両側面側に断熱部材３７を配置することが好ましい。それにより、セルスタック５の温度が低下することを効果的に抑制できる。さらには、反応ガス導入部材２９より導入される酸素含有ガスが、セルスタック５の側面側より排出されることを抑制でき、セルスタック５を構成する燃料電池セル２３間の酸素含有ガスの流れを促進することができる。なお、セルスタック５の両側面側に配置された断熱部材３７においては、燃料電池セル２３に供給される酸素含有ガスの流れを調整し、セルスタック５の長手方向および燃料電池セル２３の積層方向における温度分布を低減するための開口部３８が設けられている。なお、複数の断熱部材３７を組み合わせて開口部３８を形成するようにしてもよい。
【００３２】
また、燃料電池セル２３の配列方向に沿った内壁３３の内側には、排ガス用内壁３９が設けられており、内壁３３と排ガス用内壁３９との間が、発電室３５内の排ガスが上方から下方に向けて流れる排ガス流路４１とされている。なお、排ガス流路４１は、収納容器２２の底部に設けられた排気孔４５と通じている。また、排ガス用内壁３９のセルスタック５側にも断熱部材３７が設けられている。
【００３３】
それにより、モジュール４の運転に伴って生じる排ガスは、排ガス流路４１を流れた後、排気孔４５より排気される構成となっている。なお、排気孔４５は収納容器２２の底部の一部を切り欠くようにして形成してもよく、また管状の部材を設けることにより形成してもよい。
【００３４】
なお、モジュール４においては、燃料電池セル２３を通過した燃料ガスを着火させるための着火装置３０が、燃料電池セル２３と改質器３との間に位置するように、収納容器２の側面より挿入されている。なお、着火装置３０により燃料電池セル２３を通過した燃料ガスを着火させることにより、モジュール４内の温度を高温とすることができるほか、燃料電池セル２３、改質器３の温度を高温に維持することができる。
【００３５】
ところで、燃料電池セル２３にて発電を行なうにあたり、酸素含有ガス供給手段２よりモジュール４に酸素含有ガスを供給するが、温度の低い酸素含有ガスをモジュール４に供給すると、モジュール４内の温度が低下し、それに伴い燃料電池セル２３や改質器３の温度が低下し、発電効率が低下するおそれがある。
【００３６】
それゆえ、図１に示す本実施形態の燃料電池装置においては、浄化装置１８と第２の熱交換器である熱交換器８との間に、酸素含有ガス供給手段２より供給される酸素含有ガスと浄化装置１８より排出される浄化済みの排ガスとで熱交換するための第１の熱交換器１９を備えるとともに、第１の熱交換器１９とモジュール４との間に加熱装置２０を設けている。
【００３７】
図４は、上記モジュール４、浄化装置１８、第１の熱交換器１９および第２の熱交換器８の接続状態を示す概念図である。なお、モジュール１の外周には、モジュール１の温度を高温に維持するための断熱部材３７が設けられている。
【００３８】
モジュール４内に配置される燃料電池セル３が固体酸化物形の燃料電池セル３である場合においては、モジュール４内の温度が５００〜８００℃程度と高温となり、あわせてモ
ジュール４より排出される排ガスの温度も高温となり、さらには浄化装置１８より排出される浄化済みの排ガスの温度も高温となる。
【００３９】
ここで、図４においては、モジュール４の底部の排気ガスを排出するための排気孔（図示せず）に、モジュール４より排出される排ガスを浄化するための浄化装置１８、浄化装置１８にて浄化された浄化済み排ガスとモジュール４に供給する酸素含有ガスとで熱交換するための第１の熱交換器１９、第１の熱交換器１９を通過した排ガスと水とで熱交換を行なってお湯を生成するための第２の熱交換器８とがこの順に接続されている。なお、第２の熱交換器８は、下方側に温度の低い水が供給される入口４６が設けられており、上方側に第２の熱交換器８内で生成された水を送水するための出口４７が設けられている。
【００４０】
一方、酸素含有ガス供給手段２より供給される酸素含有ガスは、第１の熱交換器８の外面を通った後、加熱装置２０を通って、モジュール４の底部に設けられた酸素含有ガス導入部４８よりモジュール４内に供給される。
【００４１】
浄化装置１８より排出される浄化済みの排ガスの温度は、発電時は２５０〜２８０℃程度の高温であることから、この熱を用いてモジュール４に供給する酸素含有ガスの温度を上昇させるとともに、さらに加熱装置２０で酸素含有ガスをさらに加熱することで、モジュール４の温度が低下することを抑制でき、発電効率を向上することができる。
【００４２】
なお、加熱装置２０としては例えばヒータを用いることができる。さらに、第１の熱交換器１８での熱交換を向上するため、酸素含有ガス供給ラインを第１の熱交換器１８の周囲を周回してから加熱装置２０に供給するようにしてもよい。
【００４３】
図５は、本実施形態の燃料電池装置を備える燃料電池システムの構成の他の一例を示す構成図である。
【００４４】
図５に示す燃料電池システムにおいては、図１に示す燃料電池システムの構成に加えて、加熱装置２０を流れた酸素含有ガスの温度を測定するための第１の温度センサ４９を備えている。
【００４５】
モジュール４に供給する酸素含有ガスの温度が十分に高温となっている場合に加熱装置２０を動作させると、余分な電力消費につながり、発電効率の向上度合いが低下する場合がある。
【００４６】
それゆえ、加熱装置２０を通った酸素含有ガスの温度を第１の温度センサ４９にて測定し、その温度に基づいて加熱装置２０の動作を制御することにより、より発電効率の向上した燃料電池装置とすることができる。
【００４７】
具体的には、第１の温度センサ４９により測定された温度情報が制御装置７に伝送される。ここで、制御装置７は第１の温度センサ４９により測定された温度が、予め設定された下限温度以下の場合には、加熱装置２０を動作させる制御を行なう。それにより、モジュール４に供給する酸素含有ガスの温度を上昇することができる。
【００４８】
一方、制御装置７は、第１の温度センサ４９により測定された温度が、予め設定された上限温度以上の場合には、加熱装置２０の動作を停止する制御を行なう。それにより、効率のよい運転を行なうことができる。
【００４９】
なお、第１の温度センサ４９における予め設定された下限温度は例えば２００〜３００℃の間で適宜設定することができ、また上限温度は例えば２５０〜３５０℃の範囲で適宜
設定することができる。
【００５０】
図６は、本実施形態の燃料電池装置を備える燃料電池システムの構成のさらに他の一例を示す構成図である。
【００５１】
図６に示す燃料電池システムにおいては、酸素含有ガス供給手段２と第１の熱交換器１９とを接続する第１熱交換器供給ラインと、第１の熱交換器１９と加熱装置２０とを接続する加熱装置供給ラインとを接続するバイパスライン５２を備えており、バイパスライン５２と第１熱交換器供給ラインとの接続部に三方弁５０が設けられている。また、浄化装置２０より排出される浄化済み排ガスの温度を測定するための第２の温度センサ５３が設けられている。なお、図６に示す燃料電池システムにおいては、バイパスライン５２と加熱装置供給ラインとの接続部にも三方弁５１を設けており、バイパスライン５２を流れた酸素含有ガスが、第１の熱交換器１９側に流れない構成としている。
【００５２】
燃料電池システムの起動時や、セルスタック５での発電量が少ない場合などにおいて、モジュール４より排出される排ガスの温度が低く、この場合に第１の熱交換器１９にて温度の低い酸素含有ガスと熱交換を行なうと、第２の熱交換器８に供給される排ガスの温度が低下し、改質器３での水蒸気改質に必要な量の凝縮水を得ることができないおそれがあるほか、循環配管１５を流れる水との熱交換を十分に行なうことができず、十分量のお湯を生成できないおそれがある。
【００５３】
それゆえ、酸素含有ガス供給手段２より供給される酸素含有ガスを、バイパスラインを介して加熱装置２０に供給することにより、第２の熱交換器８に供給される排ガスの温度が下がることを抑制でき、凝縮水の生成量やお湯の生成量が減少することを抑制することができる。
【００５４】
具体的には、第２の温度センサ５３により測定された浄化済み排ガスの温度情報が制御装置７に伝送される。ここで、制御装置７は第２の温度センサ５３により測定された温度が、予め設定された所定の温度以下の場合には、酸素含有ガス供給手段２より供給される酸素含有ガスを、バイパスライン５２に供給するように三方弁５０、５１を制御する。
【００５５】
なお、第１の温度センサ５３における予め設定された所定の温度は例えば１５０〜２００℃の間で適宜設定することができる。
【００５６】
また、図６に示した燃料電池システムにおいて、バイパスライン５２を流れた酸素含有ガスが、第１の熱交換器１９側に流れないように、バイパスライン５２と加熱装置供給ラインとの接続部にも三方弁５１を設けたが、例えば、三方弁５１の代わりに、バイパスライン５２と加熱装置供給ラインとの接続部よりも第１の熱交換器１９側に逆止弁を設ける構成とすることもできる。
【００５７】
図７は、本実施形態の燃料電池装置を備える燃料電池システムの構成のさらに他の一例を示す構成図である。
【００５８】
図７に示す燃料電池システムにおいては、図６に示す燃料電池システムに加えて、貯湯タンク１６に貯水されたお湯の温度を測定するための貯湯タンク温度センサ５４を備えている。なお、図７において貯湯タンク温度センサ５４は、貯湯タンク１６における中央部の温度を測定するように１つだけ設けている例を示しているが、例えば貯湯タンク１６の温度を計測するにあたり、貯湯タンク温度センサ５４を複数個設けて、平均の値を採用するようにしてもよい。
【００５９】
通常、貯湯タンク１６の貯湯量は一定の量となるように、お湯の使用量が増えた場合には、水道水が貯湯タンク１６に貯水されるように設定されている。しかしながら、この場合、貯湯タンク１６に貯水された水の量は十分量となるものの、その温度が低下することとなる。従って、貯湯タンク１６に貯水されたお湯の温度が低下した場合には、第２の熱交換器である熱交換器８での熱交換率が低下しないよう、酸素含有ガス供給手段２より供給される酸素含有ガスを、バイパスラインを介して加熱装置２０に供給することが好ましい。それにより、熱交換器８に供給される浄化済み排ガスの温度が低下することを抑制でき、熱交換器８でのお湯の生成が低下することを抑制できる。
【００６０】
具体的には、貯湯タンク温度センサ５４により測定された温度情報が制御装置７に伝送される。ここで、制御装置７は貯湯タンク温度センサ５４により測定された温度が、予め設定された所定の温度以下の場合には、酸素含有ガス供給手段２より供給される酸素含有ガスを、バイパスライン５３に供給するように三方弁５０、５１を制御する。
【００６１】
なお、図７に示す貯湯タンク温度センサ５４を貯湯タンク１６の中央部に設けた例においては、貯湯タンク温度センサ５４における予め設定された所定の温度は例えば４〜３０℃の間で適宜設定することができる。
【００６２】
以上、本発明について詳細に説明したが、本発明は上述の実施の形態に限定されるものではなく、本発明の要旨を逸脱しない範囲内において、種々の変更、改良等が可能である。
【００６３】
例えば、上記制御装置７での制御において、第２の温度センサ５２と貯湯タンク温度センサ５４との制御を別々に説明したが、同時に制御することも可能である。この場合、制御装置７は、少なくとも一方の温度センサにより測定された温度が、設定された温度以下となった場合に、酸素含有ガス供給手段２より供給される酸素含有ガスを、バイパスライン５３に供給するように三方弁５０、５１を制御すればよい。
【００６４】
また、燃料電池装置の停止処理時においては、制御装置７は、酸素含有ガス供給手段２より供給される酸素含有ガスを、バイパスライン５３に供給するように三方弁５０、５１を制御するとともに、加熱装置２０を動作しないように制御することで、モジュール４内の温度を早く低下することができ、停止処理時間を短くすることができる。
【００６５】
また、浄化装置１８にヒータ等の加熱装置を設けることで、浄化済み排ガスの温度を向上させることができる。それにより、第１の熱交換器１９における熱交換効率を向上させることができ、モジュール４内の温度が低下することを抑制できることで、発電効率を向上させることができる。
【００６６】
具体的には、例えば第２の温度センサ５３により測定された温度が、予め設定された下限温度よりも低い場合には、制御装置７が浄化装置１８に設けた加熱装置を作動させる制御を行なう。それにより、浄化済み排ガスの温度が上昇することとなる。一方、第２の温度センサ５３により測定された温度が、予め設定された上限温度よりも高い場合には、制御装置７は浄化装置１８に設けた加熱装置を停止する制御を行なう。それにより、発電効率が低下することを抑制できる。なお、なお、浄化装置１８に設けた加熱装置の作動を制御するにあたり、第２の温度センサ５３における予め設定された下限温度は例えば２０〜１００℃の間で適宜設定することができ、また上限温度は例えば２００〜２８０℃の範囲で適宜設定することができる。
【００６７】
なお、上記の説明においては、酸素含有ガスを用いて説明したが、燃料の場合にも同様である。
【符号の説明】
【００６８】
２：酸素含有ガス供給手段
４：燃料電池モジュール
７：制御装置
８：第２の熱交換器
１８：浄化装置
１９：第１の熱交換器
２０：加熱装置
４９：第１の温度センサ
５０、５１：三方弁
５２：バイパスライン
５３：第２の温度センサ
５４：貯湯タンク温度センサ
【図１】
2014010895.tif 000003
【図２】
2014010895.tif 000004
【図３】
2014010895.tif 000005
【図４】
2014010895.tif 000006
【図５】
2014010895.tif 000007
【図６】
2014010895.tif 000008
【図７】
2014010895.tif 000009